(57)【要約】【課題】設定した温度に対して常に正確な湯温のシャワーを供給し、使い勝手の良い瞬間式電気湯沸器を提供すること。【解決手段】ヒータ１０と、タンク９と、温度センサ１５と、電力制御素子１７と、温度設定手段２１と、出湯温度を設定温度に制御する制御装置１６とを備え、入水部より所定温度の湯水を供給して前記温度センサ１５の検出温度を補正する構成としたことを特徴とするもので、設定した温度に対して常に正確な湯温のシャワーを提供することができ、使用者の使い勝手が良くなり、安心して使用することができる。【選択図】図２
2012172947.tif 000002
【特許請求の範囲】
【請求項１】
ヒータと、タンクと、温度センサと、電力制御素子と、温度設定手段と、出湯温度を設定温度に制御する制御装置とを備え、入水部より所定温度の湯水を供給して前記温度センサの検出温度を補正する構成としたことを特徴とする瞬間式電気湯沸器。
【請求項２】
前記補正データを不揮発性メモリに記憶させることを特徴とする請求項１に記載の瞬間式電気湯沸器。
【請求項３】
前記温度センサの検出温度を調整回路にて補正することを特徴とする請求項１に記載の瞬間式電気湯沸器。
【発明の詳細な説明】
【技術分野】
【０００１】
本発明は、瞬間式電気湯沸器に関連し、特に、シャワーの温度制御に関する。
【背景技術】
【０００２】
従来の瞬間式電気湯沸器は、熱源で加熱した温水をシャワーヘッドなどの吐出部から出湯し、温度センサ等で、一定温度のシャワー浴を使用者は楽しむことができるものがあった（例えば、特許文献１参照）。
【先行技術文献】
【特許文献】
【０００３】
【特許文献１】特開昭６１−９６３５５号公報
【発明の概要】
【発明が解決しようとする課題】
【０００４】
しかしながら、従来の瞬間式電気湯沸器では、シャワー温度が一定温度になるように、温度センサにて制御をしていたが、温度センサ特性の公差、電気回路に使用している各部品定数の公差より、設定した温度に対して、ある一定の範囲内で高い温度または低い温度で安定するという課題を有しており、初めて使用する場合、使用者は好みの温度に設定した後、シャワー浴びながらさらに、細かく温度調整する必要があり、その後設定した温度を記憶しておく必要があった。
【０００５】
また、一軒の家に同じタイプの瞬間式電気湯沸器が数台設置されている場合、同じ温度のシャワーを得るために、個々のシャワー本体で設定する温度は、必ずしも同じでなく、使用者が混乱するという課題もあった。
【０００６】
本発明は、前記従来の課題を解決するもので、設定した温度に対して常に正確な湯温のシャワーを供給し、使い勝手の良い瞬間式電気湯沸器を提供することを目的とする。
【課題を解決するための手段】
【０００７】
前記従来の課題を解決するために、本発明の瞬間式電気湯沸器は、ヒータと、タンクと、温度センサと、電力制御素子と、温度設定手段と、出湯温度を設定温度に制御する制御装置とを備え、入水部より所定温度の湯水を供給して前記温度センサの検出温度を補正する構成としたことを特徴とするものである。
【０００８】
これにより、設定した温度に対して常に正確な湯温のシャワーを提供することができ、使用者の使い勝手が良くなり、安心して使用することができる。
【発明の効果】
【０００９】
本発明は、設定した温度に対して常に正確な湯温のシャワー浴を提供し、快適性の向上した瞬間式電気湯沸器を提供することができる。
【図面の簡単な説明】
【００１０】
【図１】本発明の実施の形態１における瞬間式電気湯沸器の正面外観図
【図２】同瞬間式電気湯沸器の構成図
【図３】同温度センサの特性を表す図
【図４】本発明の実施の形態２における瞬間式電気湯沸器の正面外観図
【図５】同補正回路を表す図
【発明を実施するための形態】
【００１１】
第１の発明は、ヒータと、タンクと、温度センサと、電力制御素子と、温度設定手段と、出湯温度を設定温度に制御する制御装置とを備え、入水部より所定温度の湯水を供給して前記温度センサの検出温度を補正する構成としたことを特徴とする瞬間式電気湯沸器である。
【００１２】
これにより、設定したシャワー温度に対して、ほぼ正確な出湯温度のシャワーを提供でき、使用者にわかりやすく使いやすい快適なシャワーを提供できる。
【００１３】
第２の発明は、特に第１の発明において、前記補正データを不揮発性メモリに記憶させることを特徴とするものである。
【００１４】
これにより、設定したシャワー温度に対して、ほぼ正確な出湯温度のシャワーを提供でき、使用者にわかりやすく使いやすい快適なシャワーを提供できる。
【００１５】
第３の発明は、特に第１の発明において、前記温度センサの検出温度を調整回路にて補正することを特徴とするものである。
【００１６】
これにより、設定したシャワー温度に対して、ほぼ正確な出湯温度のシャワーを安く提供でき、使用者にわかりやすく使いやすい快適なシャワーを提供できる。
【００１７】
以下、本発明の実施の形態について、図面を参照しながら説明する。なお、この実施の形態によって本発明が限定されるものではない。
【００１８】
（実施の形態１）
図１は、瞬間式電気湯沸器の外観正面図であり、図２は、瞬間式電気湯沸器の構成図であり、図３は、温度センサの特性を表す図である。まず、図１を用いて、第１の実施の形態における瞬間式電気湯沸器の外観構成について説明する。
【００１９】
図１に示すように、本実施の形態における瞬間式電気湯沸器は、外郭を構成する筐体１と、筐体１内の給湯配管１２から外部に湯が出湯する給湯口２と、筐体１内の給水配管１１へ湯水を供給する給水口３とを有している。
【００２０】
そして給湯口２には給湯経路の一部を構成するシャワーホース４が接続され、シャワーホース４の端部には吐出部であるシャワーヘッド５を備えており、瞬間式電気湯沸器の使用時には、シャワーヘッド５から使用者へ向かって湯水が吐出される。
【００２１】
また、給水口３には給水量を調節する流量調節バルブ６が取り付けられ、給水源から入水管７を介して給水口３へ給水される給水量を調節する。通常、瞬間式電気湯沸器を設置した時に流量調節バルブ６を操作して給水量を設定するが、瞬間式電気湯沸器の使用時であっても、使用者が流量調節バルブ６を操作することで、瞬間式電気湯沸器への給水量を設定することができる。
【００２２】
また、筐体１の正面にはシャワーヘッド５からの温水の出湯を開始／停止するための出湯スイッチ８を有しており、瞬間式電気湯沸器の停止時から使用者が出湯スイッチ８を１度押すと、シャワーヘッド５から温水が吐出し、さらにもう一度、出湯スイッチ８を押すと、シャワーヘッド５から吐出中の温水が停止する。さらに、筐体１の正面には、温度設定手段２１、温度表示部２２、各種設定スイッチ２４が設けられており、使用者が好みのシャワー温度を設定できる。
【００２３】
図２に示すように、筐体１の内部には、湯水を少量貯めるタンク９と、湯水を加熱する熱源であるヒータ１０が配設されており、タンク９の内部にヒータ１０を配置している。また、タンク９で加熱された温水を給湯口２へ導くための給湯配管１２と、給水口３から低温水をタンク９へ導くための給水配管１１とを有している。給水配管１１はタンクの底部に接続され、給湯配管１２の端部はタンク９内に埋設され、タンク９の上部の温水が供給されるようになっている。
【００２４】
そして、給水配管１１には供給される水量を検出するための流量検出手段である流量センサ１３と、給水配管１１の水流路の開閉を行う止水栓１４が設けられており、止水栓１４が開くとタンク９へ給水され、止水栓１４が閉じるとタンク９への給水が停止する。さらに、流量調節バルブ６を操作することによって給水口３へ供給される湯水の流量を調節している。
【００２５】
また、ヒータ１０で加熱した湯の温度を検出する温度検出手段である温度センサ１５を備えている。そして通常のシャワー浴時には、使用者は操作部５２を操作することによって温度Ｔを設定し、温度センサ１５で検出する温度が設定した温度Ｔとなるようにヒータ１０の出力が調節される。また、温度センサ１５はタンク９内に配設され、給湯配管１２に供給する湯水の温度を検出している。
【００２６】
さらに、ヒータ１０の制御を行うために電子部品等で構成される制御装置１６が設けられ、制御装置１６は、電力制御素子１７を介してヒータ１０の電力制御を行っている。制御装置１６は、マイクロコンピュータ１９、不揮発性メモリ２０、温度設定手段２１、温度表示部２２から構成される。
【００２７】
また、外部電源は、端子台２３に接続され、電源スイッチ１８を経由して、各構成部品へ電源供給される。電源スイッチ１８は、出湯スイッチ８と連動してＯＮ・ＯＦＦを行う。
【００２８】
図３は、一般的に給湯機器等で試用される温度センサ１５の特性を示したもので、温度が高くなると、抵抗値が小さくなる特徴がある。
【００２９】
また、図３の点線で表した曲線の範囲内で生産、管理されており、検出温度が、大幅にずれないようにしている。また、制御装置１６を設計する時は、センター品の特性を用いている。検出温度については、一定の幅を持っており、例えば同じ抵抗値Ｒの時、センター品では３８℃、上限品では、約４０℃と約２Ｋの差が存在し、それがそのままシャワーの温度ばらつきとなる。
【００３０】
以上のように構成された瞬間式電気湯沸器について、以下、その動作・作用について説明する。
【００３１】
本実施の形態の瞬間式電気湯沸器を使用する場合、使用者は、まず最初に温度設定手段２１で、自分の好みのシャワー温度を設定する。そして、その後、出湯スイッチ８を一度押す。出湯スイッチ８が押されると、止水栓１４が開栓するとともに、電源スイッチ１８がオンして各構成部品への電源供給が開始する。
【００３２】
そして、止水栓１４が開栓した結果、給水口３から給水が開始され、流量センサ１３で給水流量を検知し、流量センサ１３で所定流量（例えば、毎分１Ｌ）を検知すると、ヒータ通電制御素子（例えば、トライアック）１７を介して制御装置１６がヒータ１０の電力制御を行う。給水側より供給された水は、ヒータ１０によって加熱され、温度センサ１５
で検出する温度が、温度設定手段２１で設定した温度Ｔｘとなるように、ヒータ１０の出力が制御される。
【００３３】
なお、本実施の形態では、流量センサ１３で毎分１Ｌの流量を検出すると、ヒータ１０への通電を開始しているが、所定流量はこれに限定されることはない。
【００３４】
使用者は、シャワー浴開始後、シャワーが『ぬるい』あるいは『熱い』と感じると、湯温を微調整するが、温度設定手段２１を操作してシャワーの温度Ｔｘを設定する。同時に、シャワー流量についても、自分の好みのシャワー温度と流量が得られる様、流量調節バルブ６で調整する。（このとき使用者は、最終調整した設定温度を自分の好みのシャワー温度として記憶し、次回使用時や、別のシャワー機器使用時の参考とする。）
設定した温度に対して、正確なシャワー温度を提供するため、本実施の形態の瞬間式電気湯沸器を生産する時、あらかじめわかっている一定温度Ｔ０のお湯を給水口から供給し、その時の温度センサ１５が検出している温度Ｔ０´との差Ｔ（Ｔ＝Ｔ０−Ｔ０´）を制御装置１６にあるマイクロコンピュータ１９のプログラムで演算し、不揮発性メモリ２０に記憶させている。（例えば生産時、設定温度を検出するモードを設け、その時、各種設定スイッチ２４を押すと、Ｔを記録するように、プログラムする。）
その記憶されたＴを差し引いた値で温度制御を行うことで、温度センサ１５の公差、制御装置１６の回路部品の公差を常に補正し、正確なシャワー温度を供給することが出来る。
【００３５】
そして、シャワー浴を終了する場合は、再度、出湯スイッチ８を押してシャワーヘッド５からの出湯を停止すると、流量センサ１３が所定流量以下を検出して、ヒータ１０からの出力が停止する。電源スイッチ１８が閉となるため、制御装置１６への電力供給も無くなるが、上記温度補正した値（Ｔ）は、不揮発性メモリ２０に記憶されるため、無くなることは無く、次回出湯時も有効である。
【００３６】
このように、本実施の形態では、常に正確な温度のシャワーを供給でき、初めて使用する場合でも、使用者は好みの温度に設定するだけで、煩わしい温度の微調整する必要がない。また、一軒の家に同じタイプの瞬間式電気湯沸器が数台設置されている場合、同じ温度のシャワーを得るために、個々のシャワー本体で、同じ温度に設定するだけでよく、使用者にとてもわかりやすいという効果がある。
【００３７】
なお、本実施の形態では、記憶手段として不揮発性メモリを例に挙げたが、これに限定されず、記憶手段として可変抵抗を用いてもよい。
【００３８】
（実施の形態２）
第２の実施の形態では、補正した温度を記憶する手段として、調整回路が使用されており、図４、図５を用いて、その動作を説明する。なお、前記第１の実施の形態と同一部品については、同一符号を付して、その説明を省略する。
【００３９】
本実施の形態の瞬間式電気湯沸器においては、温度調整する場合、温度調節つまみ２５を用いて使用者が設定温度を設定する。つまみの位置に対するシャワー温度は、制御装置１６により、設定位置に対して、同じになるように設計されている。
【００４０】
本実施の形態の瞬間式電気湯沸器の生産時、設定温度を通常使用するシャワー温度（例えば３８℃）に設定し、同じ温度（３８℃）のお湯を給水口から供給する。
【００４１】
そして、通電状態でＶＲを使用して可変抵抗の両端の電圧が、図３温度センサセンター品を基準として求めた値になるように、調整する。そうすることで、制御装置１６の回路
部品の公差を常に補正し、正確なシャワー温度を供給することが出来る。
【００４２】
以上により、本実施の形態２では、マイクロコンピュータを使わない簡単な構成で、設定した温度に対して、正確なシャワー温度を供給できる。また、１軒の家に同じタイプの瞬間式電気湯沸器が数台設置されている場合、同じ温度のシャワーを得るために、どの場所でも、同じ位置に設定温度を設定するだけでよく、使用者にとてもわかりやすいという効果がある。
【産業上の利用可能性】
【００４３】
以上のように、本発明の瞬間式電気湯沸器は、設定温度を調整する手間が省け、使い勝手の良い瞬間式電気湯沸器であり、実施の形態では熱源にヒータを使用した瞬間式電気湯沸器について説明したが、熱源がガスや石油などの熱源であっても、本発明を適用することができる。
【符号の説明】
【００４４】
１  筐体
２  給湯口
３  給水口
４  シャワーホース
５  シャワーヘッド
６  流量調節バルブ
７  入水管
８  出湯スイッチ
９  タンク
１０  ヒータ
１１  給水配管
１２  給湯配管
１３  流量センサ
１４  止水栓
１５  温度センサ
１６  制御装置
１７  電力制御素子
１８  電源スイッチ
１９  マイクロコンピュータ
２０  不揮発性メモリ
２１  温度設定手段
２２  温度表示部
２４  各種設定スイッチ
２５  温度調節つまみ
【図１】
2012172947.tif 000003
【図２】
2012172947.tif 000004
【図３】
2012172947.tif 000005
【図４】
2012172947.tif 000006
【図５】
2012172947.tif 000007